(57)【特許請求の範囲】
【請求項１】
電子機器に装着されて電源を供給するバッテリパックにおいて、
全体を覆う外装ケースと、
前記外装ケースの内側壁面に位置決めされて保持され、前記外装ケースによる内部空間を、厚み方向に仕切る板状の樹脂成形体と、
前記樹脂成形体により仕切られた一方の内部空間に収納されて、前記電源を出力する電池と、
前記樹脂成形体により仕切られた他方の内部空間側において、前記樹脂成形体に保持されて、前記電池からの前記電力の供給を制御する制御回路を実装した配線基板とを備え、
前記外装ケースは、
少なくとも前記電源を出力する端子を有してなる中継用配線基板を、前記端子がケース外部に露出するように、内側壁面に密着させて保持し、
前記中継用配線基板は、
可撓性を有するシート状の配線材料と、金属板材による配線材料とにより前記配線基板に接続され、
前記電池は、
前記配線基板、前記金属による配線材料、前記中継用配線基板を順次介して、前記端子より前記電源を出力する
ことを特徴とするバッテリパック。
【請求項２】
前記電池が、
非水系二次電池であり、
前記制御回路は、
前記電池からの前記電力の供給の制御に加えて、前記電池の充電を制御する
ことを特徴とする請求項１に記載のバッテリパック。
【請求項３】
前記配線基板は、
外部機器との間の入出力回路を実装した
ことを特徴とする請求項１に記載のバッテリパック。
【請求項４】
前記外装ケースは、
前記配線基板が配置される側に、開口を有し、
前記配線基板は、
前記開口を介して接続される外部機器との間の入出力回路を実装した
ことを特徴とする請求項１に記載のバッテリパック。
【請求項５】
前記外装ケースは、
前記樹脂成形体により仕切られる一方の内部空間を前記樹脂成形体と共に形成する上側ケースと、
前記樹脂成形体により仕切られる他方の内部空間を前記樹脂成形体と共に形成する下ケースとにより形成される
ことを特徴とする請求項１に記載のバッテリパック。
【発明の詳細な説明】
【０００１】
【発明の属する技術分野】
本発明は、バッテリパックに関し、例えばＰＤＡ（Personal Digital Assistants ）に適用することができる。本発明は、バッテリパックの内部空間を厚み方向に板状の樹脂成形体により仕切り、一方に電池を収納し、制御回路を実装した配線基板を他方に配置することにより、バッテリパック内の限られた空間に、電池との間で十分な絶縁を確保して、メモリカードの入出力回路等を確実に保持することができるようにする。またこのような構成において、少なくとも電源を出力する端子を有してなる中継用配線基板を、この端子がケース外部に露出するようにケースの壁面に密着させて保持し、電池の電力を配線基板、金属による配線材料、中継用配線基板を順次介して出力することにより、簡易な組み立て作業により組み立てることができ、また配線材料による損失を低減して電力を供給することができ、さらには全体構成を簡略化して少ないスペースにこれらの部品を確実に配置することができるようにする。
【０００２】
【従来の技術】
従来、個人用の情報携帯端末においては、携帯してコンピュータに取り込んだ種々の情報の確認等に利用されるようになされ、このため携帯に不便とならないように小型形状により作成され、さらには薄型形状により形成されて胸のポケット等に収めることができるようになされている。
【０００３】
またこのため情報携帯端末においては、駆動用のバッテリパックを交換可能に保持し、必要に応じてバッテリパックを交換して、電池切れにより使用困難とならないようになされている。またバッテリパックにおいても、薄型により形成して、携帯性を損なわないようになされている。
【０００４】
【発明が解決しようとする課題】
ところでこのような情報携帯端末においては、種々の情報機器に接続可能とすることにより、携帯して使用可能な範囲を拡大することができ、一段と利便性を向上することができる。
【０００５】
しかしながらこの種の情報携帯端末においては、小型形状により形成されていることにより、このような各種機器に接続可能なインターフェースを設けるスペースも限られ、これにより接続可能な機器が制限される欠点がある。
【０００６】
この欠点を解決する１つの方法として、この種のインターフェースをバッテリパックで兼用することが考えられ、このようにすればこの種の情報携帯端末に接続可能な機器を従来に比して一段と増大できると考えられる。
【０００７】
すなわち例えば、小型のメモリカードを接続可能として、このメモリカードに記録された個人情報等をアクセス可能とする場合、情報携帯端末に装着した際に露出するバッテリパックの側面等に開口を形成し、この開口よりメモリカードを装着できるようにすることにより、さらにはこのようにして装着したメモリカード、情報携帯端末との入出力回路をバッテリパックに設けることにより、バッテリパックを利用してメモリカードを利用可能とすることができると考えられる。
【０００８】
しかしながらこのようにバッテリパックを利用してメモリカードのインターフェースを構成する場合にあっては、バッテリパック内の限られた空間に、二次電池との間で十分な絶縁を確保して、この種の入出力回路等を確実に保持することが必要になる。
【０００９】
本発明は以上の点を考慮してなされたもので、バッテリパック内の限られた空間に、電池との間で十分な絶縁を確保して、メモリカードの入出力回路等を確実に保持することができるバッテリパックを提案しようとするものである。
【００１０】
【課題を解決するための手段】
かかる課題を解決するため請求項１の発明においては、外装ケースの内側壁面に位置決めされて保持され、外装ケースによる内部空間を、厚み方向に仕切る板状の樹脂成形体と、この樹脂成形体により仕切られた一方の内部空間に収納されて、電源を出力する電池と、この樹脂成形体により仕切られた他方の内部空間側において、樹脂成形体に保持されて、電池からの電力の供給を制御する制御回路を実装した配線基板とを備えるようにする。またこれらの構成において、外装ケースは、少なくとも前記電源を出力する端子を有してなる中継用配線基板を、端子がケース外部に露出するように、内側壁面に密着させて保持し、中継用配線基板は、可撓性を有するシート状の配線材料と、金属板材による配線材料とにより配線基板に接続され、電池は、配線基板、金属による配線材料、中継用配線基板を順次介して、先の端子より電源を出力するようにする。
【００１１】
請求項１の構成により、外装ケースの内側壁面に位置決めされて保持され、外装ケースによる内部空間を、厚み方向に仕切る板状の樹脂成形体と、この樹脂成形体により仕切られた一方の内部空間に収納されて、電源を出力する電池と、この樹脂成形体により仕切られた他方の内部空間側において、樹脂成形体に保持されて、電池からの電力の供給を制御する制御回路を実装した配線基板とを備えるようにすれば、板状の樹脂成形体が電池と配線基板とを絶縁し、かつ配線基板を位置決めして保持することになる。これによりこのようにして保持される配線基板においては、十分な余裕を有することにより、この配線基板を他の用途に種々に流用して各種のインターフェース等を実装することができる。またこのように構成して、外装ケースは、少なくとも前記電源を出力する端子を有してなる中継用配線基板を、端子がケース外部に露出するように、内側壁面に密着させて保持し、中継用配線基板は、可撓性を有するシート状の配線材料と、金属板材による配線材料とにより配線基板に接続され、電池は、配線基板、金属による配線材料、中継用配線基板を順次介して、先の端子より電源を出力するようにすれば、簡易な組み立て作業により組み立てることができ、また配線材料による損失を低減して電力を供給することができ、さらには全体構成を簡略化して少ないスペースにこれらの部品を確実に配置することができる。
【００１２】
【発明の実施の形態】
以下、適宜図面を参照しながら本発明の実施の形態を詳述する。
【００１３】
（１）実施の形態の構成
図２は、本発明の実施の形態に係る情報携帯端末を背面側より示す斜視図である。この情報携帯端末１は、ＰＤＡであり、表面に液晶表示パネルが設けられ、また表面等に各種操作子、インターフェースが配置され、これにより例えばパーソナルコンピュータ等に接続してパーソナルコンピュータの情報をアップロードして確認できるようになされ、またパーソナルコンピュータに各種の情報をダウンロードできるようになされている。
【００１４】
この情報携帯端末１は、背面に、バッテリパック２を装着可能に凹部１Ａが形成され、またこの凹部１Ａの根元の部分にバッテリパック２の電源等を受けるコネクタ１Ｂが設けられる。またこの凹部１Ａの側面に、バッテリパック２を係止する係止片等が形成される。これにより情報携帯端末１は、矢印Ａにより示すように、バッテリパック２を凹部１Ａに押し当ててスライドさせることにより、バッテリパック２を装着し、このバッテリパック２の電源により動作できるようになされている。またさらにはこれとは逆にバッテリパック２を操作して、バッテリパック２を取り外すことができるようになされている。
【００１５】
情報携帯端末１は、このバッテリパック２を介して、小型のメモリカード３を装着できるように構成される。このため情報携帯端末１は、コネクタ１Ｂに、電源端子、このバッテリパック２を介したメモリカード３のアクセスに必要な各種端子が配置されるようになされている。
【００１６】
またバッテリパック２においては、凹部１Ａを覆って、情報携帯端末１の背面より全体が飛び出すように形成され、情報携帯端末１の上端側に対応する側面に、メモリカード３を差し込む開口２Ａが形成され、さらにこの開口２Ａの奥に、メモリカード３を受ける端子、この端子に接続される入出力回路等が設けられるようになされている。これにより情報携帯端末１においては、バッテリパック２を装着した後、矢印Ｂにより示すように、メモリカード３をバッテリパック２の開口２Ａに押し込むことにより、バッテリパック２を介してメモリカード３をアクセスできるようになされている。
【００１７】
図１は、バッテリパック２を示す分解斜視図である。バッテリパック２は、上ケース４及び下ケース５による外装ケースにより全体を覆って、薄板形状により形成される。
【００１８】
下ケース５は、樹脂材料を射出成形して、両長辺、一方の短辺に壁面が形成されてなる略長方形形状により形成される。下ケース５は、この両長辺の外側面に、情報携帯端末１の凹部１Ａに形成された係止片と噛み合う突起５Ａが形成され、これにより情報携帯端末１に装着できるようになされている。
【００１９】
また下ケース５は、情報携帯端末１のコネクタ１Ｂに対応する個所に長方形形状の開口５Ｂが形成され、この開口５Ｂを内側より覆い隠して、短辺に沿って延長するように、内側壁面に密着して配線基板６が配置される。
【００２０】
ここでこの配線基板６には、開口５Ｂにより露出する部位に、コネクタ１Ｂに対応する電極６Ｂが配置され、バッテリパック２においては、この電極６Ｂを介して、情報携帯端末１に電源を供給し、また充電装置に装着して充電用の電力を入力することができるようになされ、さらにはこの電極６Ｂを介してメモリカード３との間で入出力するデータ等を送受できるようになされている。このため配線基板６には、内側面が表面実装に係る部品実装面に設定され、このメモリカード３に係る電極６Ｂについて、サージ電圧対策用のツェナーダイオード等がこの部品実装面に配置され、さらにこのメモリカード３に係る電極６Ｂの接続を後述する入出力回路に導くコネクタ６Ｃがこの部品実装面に実装されるようになされている。また同様に、二次電池との間で電力を入出力する端子６Ｄが配置されるようになされている。
【００２１】
これらのうち端子６Ｄは、配線基板６の長手方向、両端部に設けられて、十分な間隔が設けられる。また端子６Ｄは、所定の金属板材を加工して形成され、先端が上ケース４側に延長するように半田付けして配置され、これにより十分に電力損失を低減できるように構成される。これに対してコネクタ６Ｃは、長手方向のほぼ中央の部分に配置され、可撓性を有するシート状の配線材料であるフレキシブル配線基板のコネクタにより形成される。これによりこのバッテリパック２では、メモリカード３の内部配線用にフレキシブル配線基板を適用して、その分、形状を小型化するようになされている。
【００２２】
さらに下ケース５は、長辺側、内側壁面に、凹部５Ｃが形成され、この凹部５Ｃによりスペーサー７を位置決めして保持する。ここでスペーサー７は、この凹部５Ｃによって、上ケース４及び下ケース５による外装ケースの内側壁面に位置決めされて保持され、この外装ケースによる内部空間を、厚み方向に仕切る板状の樹脂成形体である。すなわちスペーサー７は、下ケース５の凹部５Ｃに対応して凸部７Ａが外側壁面に形成され、凹部５Ｃに凸部７Ａが噛み合って、バッテリパック２の長手方向に変位しないように、また下ケース５との間で所定の空隙を形成して下ケース５の配線基板６側をすっぽり覆い隠すように、下ケース５に配置される。
【００２３】
バッテリパック２においては、これによりスペーサー７により区切られる内部空間のうち、情報携帯端末１側の一方の内部空間については、スペーサー７と下ケース５とにより形成し、この内部空間に二次電池８を保持するようになされている。
【００２４】
ここで二次電池８は、板形状による非水系二次電池であり、正極及び負極にそれぞれ金属板材による端子８Ａ及び８Ｂが接続されるようになされ、この端子８Ａ及び８Ｂの先端が、配線基板６の端子６Ｄの内側にて、上ケース４側に延長するように形成される。
【００２５】
さらにスペーサー７は、上ケース４側面が、凹形状により形成され、この凹形状の部位に、配線基板９を保持するようになされている。すなわち図３は、スペーサー７を周辺構成と共に示す分解斜視図である。スペーサー７は、内側に飛び出すように壁面につめ７Ｂが形成され、このつめ７Ｂにより配線基板９を密着させて保持する。またスペーサー７は、上ケース４側に突出するように、略円柱形状による突起７Ｃが底面に形成され、配線基板９においては、この突起７Ｃが差し込まれる貫通孔９Ａが形成される。これによりスペーサー７は、この配線基板９を配置した後、突起７Ｃを潰すことにより、配線基板９を確実に保持できるようになされている。
【００２６】
またスペーサー７は、開口２Ａ側より見た奥まった側、配線基板９の厚みの分だけ底面より上ケース４側に変位した位置に、平板形状による突起７Ｄが設けられ、この突起７Ｄによっても配線基板９を底面に密着させて保持するようになされている。さらにスペーサー７は、フレキシブル配線基板１０を配置する凹部７Ｅが形成され、これにより配線基板９と底面との間にフレキシブル配線基板１０を保持して、配線基板９が底面より浮き上がらないようになされ、またフレキシブル配線基板１０については、底面の厚みにより二次電池８との間で十分な絶縁距離を確保できるようになされている。
【００２７】
スペーサー７は、下ケース５に配置した際に、配線基板６、二次電池８の端子６Ｄ、８Ａ、８Ｂが配線基板９側に飛び出すように、また凹部７Ｅに保持したフレキシブル配線基板１０の先端側で折り曲げて、配線基板６のコネクタ６Ｃに接続できるように、配線基板６側に微細な空隙が形成される。
【００２８】
配線基板９は、フレキシブル配線基板１０と共にスペーサー７に配置されたされた後、このようにして配線基板９側に飛び出す端子６Ｄ、８Ａ、８Ｂが半田付けにより接続される。またスペーサー７に配置する際に、フレキシブル配線基板１０の他端が実装したコネクタ９Ｂに接続され、またこのフレキシブル配線基板１０が配線基板６のコネクタ６Ｃに接続される。なお配線基板９は、これらによりスペーサー７とは逆側の面が表面実装に係る部品実装面に設定されるようになされている。
【００２９】
すなわち配線基板９は、この部品実装面にコネクタ９Ｂが実装される。また配線基板９は、この部品実装面において、端子６Ｄ、８Ａ、８Ｂが飛び出す側の周縁部に、端子６Ｄ、８Ａ、８Ｂに対応してランド９Ｃが形成され、これにより配線基板９側に飛び出す端子６Ｄ、８Ａ、８Ｂをランド９Ｃ側に折り曲げて半田付けすることができるようになされている。
【００３０】
配線基板９は、さらに開口２Ａに対応する部位の奥まった個所に、メモリカード３の端子と接触する端子９Ｄが配置され、さらにこれらの端子９Ｄに接触するようにメモリカード３を配置した際に、このメモリカード３をすっぽり覆い隠すようにシールドケース９Ｅが配置されるようになされている。
【００３１】
配線基板９は、これらにより二次電池８、端子６Ｂ、メモリカード３に接続されて、図４に示すように、二次電池８の充放電制御回路１５、メモリカード３の入出力回路１６が実装されるようになされている。ここで充放電制御回路１５は、放電時においては、二次電池８の放電電流を監視して短絡等の事故による過大な放電電流による放電を防止し、また二次電池８の端子電圧の監視により過放電を防止する。また充電時においては、充電電流の監視により異常な充電を防止し、また過充電を防止する。また充放電制御回路１５は、これら充放電の際に、二次電池８の温度を監視し、異常な発熱を防止する。
【００３２】
これに対して入出力回路１６は、所定の端子９Ｄの電位を監視することにより、メモリカード３の装着、脱着を検出して情報携帯端末１に通知する。さらに配線基板６、フレキシブル配線基板１０を介して得られる情報携帯端末１からの制御によりメモリカード３に記録された情報を読み出して情報携帯端末１に出力し、またこれとは逆に情報携帯端末１からの情報をメモリカード３に記録する。
【００３３】
上ケース４は、二次電池８、スペーサー７等を配置した後、下ケース５に配置されて接着等により固定される。上ケース４は、下ケース５と同様に、樹脂材料を射出成形して形成され、シールドケース９Ｅによる空間にメモリカード３を導く開口２Ａが形成されるようになされている。スペーサー７は、下ケース５に配置した際に、側面が上ケース４側に飛び出すように形成され、上ケース４は、下ケース５の側面に側面が突き当たり、さらに側面の内側がこのスペーサー７の飛び出した部位に突き当たるようになされている。
【００３４】
これらにより二次電池８は、樹脂成形体であるスペーサー７により仕切られた一方の内部空間に収納されて、情報携帯端末１に電源を出力し、配線基板９は、この樹脂成形体により仕切られた他方の内部空間側において、樹脂成形体に保持されて、二次電池８からの電力の供給を制御する制御回路を実装するようになされ、またこの二次電池８からの電力の供給の制御に加えて、二次電池の充電を制御するようになされている。
【００３５】
またケース４、５は、少なくとも二次電池８の電源を出力する端子６Ｂを有してなる中継用配線基板である配線基板６を、端子６Ｂがケース外部に露出するように、内側壁面に密着させて保持し、この中継用配線基板６は、配線基板９に可撓性を有するシート状の配線材料１０と、金属板材による配線材料６Ｄとにより接続され、二次電池８は、これら配線基板９、金属板材による配線材料６Ｄ、中継用配線基板６を順次介して、端子６Ｂより電源を出力するようになされている。
【００３６】
（２）実施の形態の動作
以上の構成において、このバッテリパック２においては（図２）、情報携帯端末１の背面に配置されて、この情報携帯端末１に駆動用の電源を供給し、またこの情報携帯端末１に装着されたまま情報携帯端末１を充電装置に接続して、さらにはこの情報携帯端末１より取り外して充電装置に装着して、充電装置からの電源により充電される。またバッテリパック２は、情報携帯端末１の背面に配置して、開口２Ａよりメモリカード３が差し込まれると、さらにはこのようにして差し込んだメモリカード３が引き抜かれると、情報携帯端末１にこれらが通知される。またメモリカード３が差し込まれた状態で、ユーザーによる情報携帯端末１の操作により、情報携帯端末１に保持された各種の情報がメモリカード３に記録され、またこれとは逆にメモリカード３に記録された情報が情報携帯端末１によりアクセスされる。これによりこの実施の形態においては、バッテリパック２をメモリカード３のインターフェースに兼用することができ、その分、情報携帯端末１に接続可能な機器を増大させ、情報携帯端末１の使い勝手を向上することができる。
【００３７】
バッテリパック２においては、情報携帯端末１の凹部１Ａに配置されて装着され、情報携帯端末１に装着した際に、情報携帯端末１の裏面より盛り上がるように形成され、この盛り上がった部位の上側側面にメモリカード３を差し込む開口２Ａが形成され、またこの盛り上がった部位にメモリカード３の入出力回路１６（図４）が二次電池８の充放電制御回路１５と共に配置される。
【００３８】
すなわちバッテリパック２においては（図３）、配線基板９に入出力回路１６、充放電制御回路１５、シールドケース９Ｅ、端子９Ｄ等が実装され、コネクタ９Ｂにフレキシブル配線基板１０の一端が接続される。またこのフレキシブル配線基板１０が配線基板９の裏面側に折り曲げられ、このフレキシブル配線基板１０を間に挟んで配線基板９が樹脂材料によるスペーサー７に配置される。このときスペーサー７においては、フレキシブル配線基板１０の厚みに対応する凹部７Ｅが形成されていることにより、また配線基板９においては、スペーサー７側とは逆側の面が部品実装面であることにより、配線基板９の裏面がスペーサー７の底面に密着するように保持される。またフレキシブル配線基板１０、配線基板９においては、このスペーサー７の厚みにより、スペーサー７の下側の内部空間に保持される二次電池８から確実に絶縁されて保持される。またフレキシブル配線基板１０においては、振動等により位置ずれしないように保持される。
【００３９】
配線基板９においては、さらに根元側の突起７Ｄ、貫通孔９Ａと対応する突起７Ｃとにより、さらにはつめ７Ｂにより、スペーサー７に位置決めされて、かつ配線基板９の裏面がスペーサー７の底面に密着するように保持される。
【００４０】
バッテリパック２においては、情報携帯端末１との間のコネクタ、配線基板９との間の中継用基板を構成する配線基板６が、下ケース５に配置された後（図１）、二次電池８が配置され、このようにして各種部品が配置されてなるスペーサー７が続いて配置される。さらに配線基板６、二次電池８の端子６Ｄ、８Ａ及び８Ｂが折り曲げられて配線基板９に半田付けされた後、上面を上ケース４で覆って作成される。
【００４１】
バッテリパック２においては、これにより上ケース４及び下ケース５による外装ケースの内部空間が、板状の絶縁材料であるスペーサー７により厚み方向に仕切られ、下側の内部空間に二次電池８が配置され、また上側の内部空間に、充放電制御回路１５、入出力回路１６を実装してなる配線基板９が十分に絶縁されて配置される。またこのようにスペーサー７により仕切ったことにより、スペーサー７の側面に形成された凸部７Ａを利用してバッテリパック２の長手方向に移動しないように、また上ケース４、下ケース５により厚み方向に移動しないように、スペーサー７を介して配線基板９を保持することができる。このように厚み方向に仕切って形成される内部空間においては、十分な余裕を有することにより、この配線基板を他の用途に種々に流用して各種のインターフェース等を実装することができ、これによりこの実施の形態では、この配線基板９にメモリカード３の入出力回路１６、接続用端子９Ｄ、シールドケース９Ｅ等を配置するようになされている。これらによりこの実施の形態では、バッテリパック２内の限られた空間に、電池との間で十分な絶縁を確保して、メモリカード３の入出力回路１６等を確実に保持することができるようになされている。
【００４２】
（３）実施の形態の効果
以上の構成によれば、バッテリパックの内部空間を厚み方向に板状の樹脂成形体により仕切り、一方に電池を収納し、他方に制御回路を実装した配線基板を配置することにより、バッテリパック内の限られた空間に、電池との間で十分な絶縁を確保して、メモリカードの入出力回路等を確実に保持することができる。またこのように構成して、また少なくとも電源を出力する端子を有してなる中継用配線基板を、この端子がケース外部に露出するように下ケースの壁面に密着させて保持し、金属板材による配線材料である端子６Ｄ、可撓性を有するシート状の配線材料であるフレキシブル配線基板１０により中継用配線基板６と配線基板９とを接続し、二次電池８の電力を配線基板９、金属による配線材料６Ｄ、中継用配線基板６を順次介して出力することにより、簡易な組み立て作業により組み立てることができ、また配線材料による損失を低減して電力を供給することができ、さらには全体構成を簡略化して少ないスペースにこれらの部品を確実に配置することができる。
【００４３】
すなわちこの配線基板に、外部機器との間の入出力回路を実装することにより、この入出力回路に対応するインターフェースをバッテリパックに設けることができ、具体的に、メモリカードの入出力回路を実装し、外装ケースに開口を形成することにより、バッテリパック内の限られた空間に、電池との間で十分な絶縁を確保して、メモリカードのインターフェースを設けることができる。
【００４４】
また二次電池である  非水系二次電池を収納すると共に、配線基板に実装した充放電制御回路により、電力の供給の制御に加えて、充電を制御することにより、この種のバッテリパックの信頼性を向上することができる。
【００４６】
またこのような外装ケースを上ケース及び下ケースにより構成して、下ケースと樹脂成形体による一方の内部空間を形成し、上側ケースと樹脂成形体により他方の内部空間を形成することにより、簡易な構成で、これら上ケース及び下ケースにより樹脂成形体の厚み方向の移動を防止して確実に樹脂成形体を保持することができる。
【００４７】
（４）他の実施の形態
また上述の実施の形態においては、非水系二次電池によるバッテリパックに本発明を適用する場合について述べたが、本発明はこれに限らず、種々の二次電池によるバッテリパック、さらには充電困難な電池によるバッテリパックに広く適用することができる。
【００４８】
また上述の実施の形態においては、メモリカードのインターフェースをバッテリパックに形成する場合について述べたが、本発明はこれに限らず、各種機器との間のインターフェースをバッテリパックに形成する場合に広く適用することができる。
【００４９】
また上述の実施の形態においては、ＰＤＡのバッテリパックに本発明を適用する場合について述べたが、本発明はこれに限らず、例えば携帯電話等、各種の情報携帯端末のバッテリパック、さらには各種映像機器、音響機器のバッテリパック等に広く適用することができる。
【００５０】
【発明の効果】
上述のように本発明によれば、バッテリパックの内部空間を厚み方向に板状の樹脂成形体により仕切り、一方に電池を収納し、制御回路を実装した配線基板を他方に配置することにより、バッテリパック内の限られた空間に、電池との間で十分な絶縁を確保して、メモリカードの入出力回路等を確実に保持することができる。
【図面の簡単な説明】
【図１】本発明の実施の形態に係るバッテリパックを示す分解斜視図である。
【図２】本発明の実施の形態に係るバッテリパックを情報携帯端末と共に示す斜視図である。
【図３】図２のバッテリパックのスペーサーを周辺構成と共に示す分解斜視図である。
【図４】図２のバッテリパックの接続を示すブロック図である。
【符号の説明】
１……情報携帯端末、２……バッテリパック、３……メモリカード、４……下ケース、５……上ケース、６、９……配線基板、７……スペーサー、８……二次電池、１０……フレキシブル配線基板
【図１】
0003611206.tif 000002
【図２】
0003611206.tif 000003
【図３】
0003611206.tif 000004
【図４】
0003611206.tif 000005